(57)【要約】【課題】データを送出する電波の周波数変更が不要な受信強度測定システムを提供する。【解決手段】センサ１は、基地局Ａからの電波を受信するアンテナ１１と、受信した電波を増幅する増幅器１２と、増幅後の電波の強度（受信強度）を測定する測定部１３と、測定値を含むデータを赤外線により他のセンサ１や制御機２に送信する光送信機１４と、他のセンサ１や制御機２から赤外線により送信されたデータなどを受信する光受信機１５とを備える。【選択図】図２
2007243653.tif 000002
【特許請求の範囲】
【請求項１】
１以上の場所に配置され、基地局が送信した電波を受信して受信強度を測定し、そのときの測定値を含むデータを送信するセンサと、当該データを受信する制御機とを備える受信強度測定システムであって、
前記センサは、赤外線で前記データを送信することを特徴とする受信強度測定システム。
【請求項２】
１以上の場所に配置され、基地局が送信した電波を受信して受信強度を測定し、そのときの測定値と自身のセンサ識別情報とからなるデータを赤外線で送信するセンサと、当該データを受信する制御機とを備える受信強度測定システムであって、
前記制御機は、受信したデータに含まれるセンサ識別情報を赤外線で送信し、
前記センサは、自身のセンサ識別情報を受信した場合、それからは、受信したデータの中から、自身のセンサ識別情報を除くセンサ識別情報を含むデータを選択し、自身のデータと当該選択したデータとを送信することを特徴とする受信強度測定システム。
【請求項３】
１以上の場所に配置され、基地局が送信した電波を受信して受信強度を測定し、そのときの測定値と自身のセンサ識別情報とからなるデータを赤外線で送信するセンサと、当該データを受信する制御機とを備える受信強度測定システムであって、
前記制御機は、受信したデータに含まれるセンサ識別情報を赤外線で送信し、
前記センサは、自身のセンサ識別情報を受信した場合、それからは、受信したデータの中から、自身のセンサ識別情報を除くセンサ識別情報を含むデータを選択し、自身のデータを先頭として当該選択したデータを後続させて送信し、自身のセンサ識別情報を含むデータを受信した場合、そのときの先頭のデータに含まれるセンサ識別情報を記憶しておき、それからは、受信したデータの中から、自身のセンサ識別情報と記憶しておいたセンサ識別情報とを除くセンサ識別情報を含むデータを選択し、自身のデータを先頭として当該選択したデータを後続させて送信することを特徴とする受信強度測定システム。
【請求項４】
前記制御機は、各センサの位置情報とセンサ識別情報の対応表を備え、受信した各データにつき、そのデータ内のセンサ識別情報に対応表で対応する位置情報を読み出し、その位置に、そのデータ内の測定値が示す受信強度をマッピングすることを特徴とする請求項２または３記載の受信強度測定システム。
【請求項５】
前記制御機は、各センサの位置情報とセンサ識別情報の対応表、ならびに、受信強度と伝送速度の変換表を備え、受信した各データにつき、そのデータ内のセンサ識別情報に対応表で対応する位置情報を読み出し、そのデータ内の測定値が示す受信強度を変換表により伝送速度に変換し、その位置にマッピングすることを特徴とする請求項２または３記載の受信強度測定システム。
【請求項６】
１以上の場所に配置され、基地局が送信した電波を受信して受信強度を測定し、そのときの測定値を含むデータを送信するセンサであって、
当該データを受信する制御機とともに用いられ、
赤外線で前記データを送信することを特徴とするセンサ。
【請求項７】
１以上の場所に配置され、基地局が送信した電波を受信して受信強度を測定し、そのときの測定値と自身のセンサ識別情報とからなるデータを赤外線で送信するセンサであって、
当該データを受信し、受信したデータに含まれるセンサ識別情報を赤外線で送信する制御機とともに用いられ、
自身のセンサ識別情報を受信した場合、それからは、受信したデータの中から、自身のセンサ識別情報を除くセンサ識別情報を含むデータを選択し、自身のデータと当該選択したデータとを送信することを特徴とするセンサ。
【請求項８】
１以上の場所に配置され、基地局が送信した電波を受信して受信強度を測定し、そのときの測定値と自身のセンサ識別情報とからなるデータを赤外線で送信するセンサであって、
当該データを受信し、受信したデータに含まれるセンサ識別情報を赤外線で送信する制御機とともに用いられ、
自身のセンサ識別情報を受信した場合、それからは、受信したデータの中から、自身のセンサ識別情報を除くセンサ識別情報を含むデータを選択し、自身のデータを先頭として当該選択したデータを後続させて送信し、自身のセンサ識別情報を含むデータを受信した場合、そのときの先頭のデータに含まれるセンサ識別情報を記憶しておき、それからは、受信したデータの中から、自身のセンサ識別情報と記憶しておいたセンサ識別情報とを除くセンサ識別情報を含むデータを選択し、自身のデータを先頭として当該選択したデータを後続させて送信することを特徴とするセンサ。
【発明の詳細な説明】
【技術分野】
【０００１】
本発明は、基地局が送信した電波を受信して受信強度を測定する受信強度測定システムに関する。
【背景技術】
【０００２】
無線ＬＡＮ等の無線通信システムでは、無線端末が十分に大きな伝送速度で基地局と電波の送受信が行えるように、基地局の設置場所と設置数が定められる。伝送速度は、無線端末での電波の受信強度に相関するので、レイトレーシング法やＦＤ−ＴＤ法等のシミュレーションにより、通信エリア内の各所での受信強度を推定し、それにより基地局の設置場所等が定められる。また、かかる目的のソフトウェア（Quality Meisterなど）も販売されている（特許文献１参照）。
【０００３】
一方、各所を移動しながら、センサで受信強度を測定し、その結果により基地局の設置場所等を評価する事業も行われている。
【０００４】
シミュレーションでは、基地局から反射により無線端末に到達する経路の遅延特性等が考慮される場合と考慮されない場合があり、後者の場合に求まる受信強度は誤差を含む。
【０００５】
また、ソフトウェアは高価であるため、設置に関わるコストを上昇させることになる。
【０００６】
一方、受信強度を測定する方法では、各所を移動するので移動時間が必要となる。また、基地局を移設や増減した場合は、再度の測定が必要である。
【０００７】
そこで、予め各所にセンサを配置し、そのセンサにより受信強度を測定する受信強度測定システムが考案され、基地局の設置場所や設置数の決定を支援する置局支援ツールとして研究されるようになった。
【０００８】
このシステムでは、例えば、基地局が２．５ＧＨｚの電波を送信し、その受信強度を測定した各センサは、２．５ＧＨｚの電波に影響しない３１５ＭＨｚの電波で測定値を含むデータを送信する。そして、このデータを受信した制御機が測定結果を出力する（非特許文献１参照）。
【特許文献１】特開平１１−２３１００３号公報
【非特許文献１】広島、櫻井、秋山、山根、「無線通信システム基地局設置支援ツールの開発」、電子情報通信学会  技術研究報告  ＥＭＣＪ２００５−８５、２００５年１０月
【発明の開示】
【発明が解決しようとする課題】
【０００９】
しかしながら、上記システムでは、データを送信する電波の周波数が３１５ＭＨｚ等に予め設定されているので、その周波数の電波を送信する基地局とともに使用すると、その電波とデータを送信する電波とが混信するおそれがある。そのため、データを送出する電波の周波数を変える必要がある。
【００１０】
本発明は、上記従来の課題に鑑みなされたものであり、その目的とするところは、データを送出する電波の周波数変更が不要な受信強度測定システムを提供することにある。
【課題を解決するための手段】
【００１１】
上記の課題を解決するために、本発明では、データの送信を赤外線により行うことで、電波によるデータの送信が不要となり、もって、その周波数の変更を不要にすることができる。
【００１２】
また、本発明では、センサは、データに自身のセンサ識別情報を含ませ、制御機は、受信したデータに含まれるセンサ識別情報を赤外線で送信し、センサは、自身のセンサ識別情報を受信した場合、それからは、受信したデータの中から、自身のセンサ識別情報を除くセンサ識別情報を含むデータを選択し、自身のデータと当該選択したデータとを送信することで、制御機に直接データを送信できないセンサのデータを、制御機に直接データを送信できるセンサを介して制御機に送信することができる。
【００１３】
また、本発明では、さらに、センサは、自身のセンサ識別情報を含むデータを受信した場合、そのときの先頭のデータに含まれるセンサ識別情報を記憶しておき、それからは、受信したデータの中から、自身のセンサ識別情報と記憶しておいたセンサ識別情報とを除くセンサ識別情報を含むデータを選択し、自身のデータを先頭として当該選択したデータを後続させて送信することで、制御機に直接データを送信できないセンサのデータを、制御機に直接データを送信できるセンサを含む２つ以上のセンサを介して、制御機に送信することができる。
【００１４】
また、本発明では、制御機は、各センサの位置情報とセンサ識別情報の対応表を備え、受信した各データにつき、そのデータ内のセンサ識別情報に対応表で対応する位置情報を読み出し、その位置に、そのデータ内の測定値が示す受信強度をマッピングすることで、受信強度の分布を知ることができる。
【００１５】
また、本発明では、制御機は、各センサの位置情報とセンサ識別情報の対応表、ならびに、受信強度と伝送速度の変換表を備え、受信した各データにつき、そのデータ内のセンサ識別情報に対応表で対応する位置情報を読み出し、そのデータ内の測定値が示す受信強度を変換表により伝送速度に変換し、その位置にマッピングすることで、伝送速度の分布を知ることができる。
【発明の効果】
【００１６】
本発明によれば、データの送信を赤外線により行うことで、電波によるデータの送信が不要となり、もって、その周波数の変更を不要にすることができる。
【発明を実施するための最良の形態】
【００１７】
以下、本発明の実施の形態を説明する。
【００１８】
図１は、本発明の実施の形態に係る受信強度測定システムとその利用形態を示す図である。
【００１９】
図１の受信強度測定システムは、ここでは無線通信システムを構成する基地局の設置場所や設置数を求めるために使用される。無線端末の使用が想定される通信エリアは、ここでは居住域であり、そこは壁ａ１で仕切られ、家具ａ２などの障害物が置かれている。また、通信エリアである居住域には、複数のセンサ１と１つの制御機２が配置されている。また、ここでは通信エリア内に当初は２つの基地局Ａが配置されている。基地局Ａは、例えば、２．５ＧＨｚの電波を送信するものである。
【００２０】
図２は、センサ１の構成図である。
【００２１】
センサ１は、基地局Ａからの電波を受信するアンテナ１１と、受信した電波を増幅する増幅器１２と、増幅器１２用の電源１２ａと、増幅後の電波の強度（受信強度）を測定する測定部１３と、測定部１３用の電源１３ａと、測定値を含むデータを赤外線により他のセンサ１や制御機２に送信する光送信機１４と、他のセンサ１や制御機２から赤外線により送信されたデータなどを受信する光受信機１５とを備える。
【００２２】
測定部１３は、他のセンサ１と同じに予め設定されたタイミングで時間間隔をとりながら、例えば、一定間隔で、基地局Ａからの電波に合わせて予め設定された周波数で受信強度を測定し、そのときの測定値ならびに自身を示すセンサ識別情報からなるデータを生成する測定部１３１と、光受信機１５が他のセンサ１から受信した同様のデータを記録する記録部１３２と、その中から送信すべきデータを選択する選択部１３３と、生成されたデータまたはそれを先頭として選択されたデータを後続させたものを、光送信機１４により他のセンサ１や制御機２に送信させる制御部１３４とを備える。
【００２３】
また、各センサ１は、当初は他のセンサからのデータを中継しない通常モードに設定され、自身のセンサ識別情報またはそれを含むデータを受信したときには、他のセンサからのデータを中継する中継モードに遷移するようになっている。
【００２４】
通常モードのときの選択部１３３は、自身のセンサ識別情報を含むデータが受信記録されたら、そのときの先頭のデータに含まれるセンサ識別情報を記憶しておき、一方、中継モードのときの選択部１３３は、自身のセンサ識別情報と記憶しておいたセンサ識別情報とを除くセンサ識別情報を含むデータを選択するようになっている。
【００２５】
図３は、制御機２の構成図である。
【００２６】
制御機２は、センサ１から赤外線により送信されたデータを受信する光受信機２１と、センサ識別情報が重複しない受信されたデータ、ならびに、重複する受信されたデータの中の１つを選択する選択部２２と、選択されたデータを記録する記録部２３と、受信されたデータに含まれるセンサ識別情報を赤外線によりセンサ１に送信する光送信機２４と、この光送信機２４によりセンサ識別情報を送信させる制御部２５、記録されたデータ内の測定値を元に受信強度や伝送速度をマッピングするマッピング部２６とを備える。
【００２７】
マッピング部２６は、図示しないが、各センサ１の位置情報とセンサ識別情報の対応表と、受信強度と伝送速度の変換表とを予め備えている。
【００２８】
（動作）
次に、図４のシーケンス図を参照して、受信強度測定システムの動作を説明する。
【００２９】
図４のセンサＡ１、Ａ２、Ｂ１、Ｂ２、Ｂ３、Ｃ１、Ｃ２、Ｃ３、Ｃ４は、センサ１であり、当初の通常モードに設定されていることとする。また、図４では、各ステップの符号とともに、そこで送信されるセンサ識別情報またはデータ内のセンサ識別情報が示すセンサの符号を記載する。
【００３０】
また、各センサ１と制御機２の中で、赤外線を送受信可能な組み合わせは、図５に示す○印のもの限られることとする。つまり、○印の組のセンサ１同士、センサ１と制御機２は、互いに見通せることとする。
【００３１】
（１回目の測定タイミングにおける動作）
各センサ１は、１回目の測定値と自身のセンサ識別情報からなるデータを光送信機１４から送信する。例えば、センサＡ１は、センサＢ１、Ｂ２からデータを受信するが、通常モードに設定されているので、これについては処理を行わない。他のセンサも同様である。
【００３２】
制御機２は、センサＡ１、Ａ２からデータを受信し（Ｓ１、Ｓ２）、センサ識別情報が重複しないこれらのデータを受信時刻に関連づけて記録し、また、データに含まれるセンサＡ１、Ａ２のセンサ識別情報を光送信機２４から送信する。
【００３３】
センサＡ１は、自身のセンサ識別情報を含むこれらのセンサ識別情報を受信し（Ｓ３）、これにより、中継モードに遷移する。また、センサＡ２も、自身のセンサ識別情報を含むこれらのセンサ識別情報を受信し（Ｓ４）、中継モードに遷移する。
【００３４】
（２回目の測定タイミングにおける動作）
中継モードに遷移したセンサＡ１、Ａ２を除く各センサは、２回目の測定値と自身のセンサ識別情報からなるデータを光送信機１４から送信する。
【００３５】
一方、中継モードに遷移したセンサＡ１では、センサＢ１、Ｂ２からデータを待って受信する（Ｓ１１、Ｓ１２）。センサＡ１の選択部１３３は、通常モードのときにセンサ識別情報を記憶していないので、自身のセンサ識別情報だけを除く、つまりセンサＢ１、Ｂ２のセンサ識別情報を含むデータが選択され、センサＡ１のデータを先頭として選択されたデータを後続させたものが送信される。
【００３６】
また、中継モードに遷移したセンサＡ２では、センサＢ１、Ｂ３からデータを待って受信する（Ｓ１３、Ｓ１４）。センサＡ２の選択部１３３は、通常モードのときにセンサ識別情報を記憶していないので、自身のセンサ識別情報だけを除く、つまりセンサＢ１、Ｂ３のセンサ識別情報を含むデータが選択され、センサＡ２のデータを先頭として選択されたデータを後続させたものが送信される。
【００３７】
制御機２は、センサＡ１、Ａ２からデータを受信し（Ｓ１５、Ｓ１６）、センサ識別情報が重複しないセンサＡ１、Ａ２、Ｂ２、Ｂ３からのデータと、センサ識別情報が重複するセンサＢ１からの２つのデータの１つを選択して受信時刻に関連づけて記録し、また、データに含まれるセンサＡ１、Ａ２、Ｂ１、Ｂ２、Ｂ３のセンサ識別情報を送信する。
【００３８】
センサＡ１、Ａ２は、これらのセンサ識別情報を受信する（Ｓ１７、Ｓ１８）。中継モードは維持される。
【００３９】
一旦データを送信したセンサＢ１は、センサＡ１、Ａ２からデータを受信し（Ｓ１９、Ｓ２０）、このとき、選択部１３３は、センサＡ１からの先頭のデータに含まれるセンサＡ１のセンサ識別情報と、センサＡ２からの先頭のデータに含まれるセンサＡ１のセンサ識別情報とを記憶しておく。また、センサＢ１は、自身のセンサ識別情報を含むデータを受信したので、中継モードに遷移する。
【００４０】
また、センサＢ２は、センサＡ１からデータを受信し（Ｓ２１）、このとき、選択部１３３は、先頭のデータに含まれるセンサＡ１のセンサ識別情報を記憶しておく。また、センサＢ２は、自身のセンサ識別情報を含むデータを受信したので、中継モードに遷移する。
【００４１】
また、センサＢ３は、センサＡ２からデータを受信し（Ｓ２２）、このとき、選択部１３３は、先頭のデータに含まれるセンサＡ２のセンサ識別情報を記憶しておく。また、センサＢ３は、自身のセンサ識別情報を含むデータを受信したので、中継モードに遷移する。
【００４２】
（３回目の測定タイミングにおける動作）
中継モードに遷移にしたセンサＡ１、Ａ２、Ｂ１、Ｂ２、Ｂ３を除く各センサは、３回目の測定値と自身のセンサ識別情報からなるデータを光送信機１４から送信する。
【００４３】
一方、中継モードに遷移したセンサＢ１では、センサＣ１、Ｃ２からデータを待って受信する（Ｓ３１、Ｓ３２）。センサＢ１の選択部１３３は、通常モードのときにセンサＡ１、Ａ２のセンサ識別情報を記憶しているので、それと自身のセンサ識別情報を除く、つまりセンサＣ１、Ｃ２のセンサ識別情報を含むデータが選択され、センサＢ１のデータを先頭として選択されたデータを後続させたものが送信される。
【００４４】
また、中継モードに遷移したセンサＢ２では、センサＣ２、Ｃ３からデータを待って受信する（Ｓ３３、Ｓ３４）。センサＢ２の選択部１３３は、通常モードのときにセンサＡ１のセンサ識別情報を記憶しているので、それと自身のセンサ識別情報を除く、つまりセンサＣ２、Ｃ３のセンサ識別情報を含むデータが選択され、センサＢ２のデータを先頭として選択されたデータを後続させたものが送信される。
【００４５】
また、中継モードに遷移したセンサＢ３では、センサＣ１、Ｃ４からデータを待って受信する（Ｓ３５、Ｓ３６）。センサＢ３の選択部１３３は、通常モードのときにセンサＡ２のセンサ識別情報を記憶しているので、それと自身のセンサ識別情報を除く、つまりセンサＣ１、Ｃ４のセンサ識別情報を含むデータが選択され、センサＢ３のデータを先頭として選択されたデータを後続させたものが送信される。
【００４６】
また、中継モードに遷移したセンサＡ１では、センサＢ１、Ｂ２からデータを待って受信する（Ｓ４１、Ｓ４２）。センサＡ１の選択部１３３は、通常モードのときにセンサ識別情報を記憶していないので、自身のセンサ識別情報だけを除く、つまりセンサＢ１、Ｂ２、Ｃ１、Ｃ２、Ｃ３のセンサ識別情報を含むデータが選択され、センサＡ１のデータを先頭として選択されたデータを後続させたものが送信される。
【００４７】
また、中継モードに遷移したセンサＡ２では、センサＢ１、Ｂ３からデータを待って受信する（Ｓ４３、Ｓ４４）。センサＡ２の選択部１３３は、通常モードのときにセンサ識別情報を記憶していないので、自身のセンサ識別情報だけを除く、つまりセンサＢ１、Ｂ３、Ｃ１、Ｃ２、Ｃ４のセンサ識別情報を含むデータが選択され、センサＡ２のデータを先頭として選択されたデータを後続させたものが送信される。
【００４８】
制御機２は、センサＡ１、Ａ２からデータを受信し（Ｓ４５、Ｓ４６）、センサ識別情報が重複しないセンサＡ１、Ａ２、Ｂ２、Ｂ３、Ｃ３、Ｃ４からのデータと、センサ識別情報が重複するセンサＢ１からの２つのデータの１つと、センサ識別情報が重複するセンサＣ１からの２つのデータの１つと、センサ識別情報が重複するセンサＣ２からの２つのデータの１つとを選択して受信時刻に関連づけて記録し、また、データに含まれるセンサＡ１、Ａ２、Ｂ１、Ｂ２、Ｂ３、Ｃ１、Ｃ２、Ｃ３、Ｃ４のセンサ識別情報を送信する。
【００４９】
センサＡ１、Ａ２は、これらのセンサ識別情報を受信する（Ｓ４７、Ｓ４８）。中継モードは維持される。
【００５０】
一旦データを送信したセンサＢ１は、センサＡ１、Ａ２からデータを受信し（Ｓ４９、Ｓ５０）、このとき、選択部１３３は、センサＡ１からの先頭のデータに含まれるセンサＡ１のセンサ識別情報と、センサＡ２からの先頭のデータに含まれるセンサＡ１のセンサ識別情報とを記憶しておく。中継モードは維持される。
【００５１】
また、センサＢ２は、センサＡ１からデータを受信し（Ｓ５１）、このとき、選択部１３３は、先頭のデータに含まれるセンサＡ１のセンサ識別情報を記憶しておく。中継モードは維持される。
【００５２】
また、センサＢ３は、センサＡ２からデータを受信し（Ｓ５２）、このとき、選択部１３３は、先頭のデータに含まれるセンサＡ２のセンサ識別情報を記憶しておく。中継モードは維持される。
【００５３】
また、センサＣ１は、センサＢ１、Ｂ３からデータを受信し（Ｓ５３、Ｓ５４）、このとき、選択部１３３は、センサＢ１からの先頭のデータに含まれるセンサＢ１のセンサ識別情報と、センサＢ３からの先頭のデータに含まれるセンサＢ３のセンサ識別情報とを記憶しておく。また、センサＣ１は、自身のセンサ識別情報を含むデータを受信したので、中継モードに遷移する。
【００５４】
また、センサＣ２は、センサＢ１、Ｂ２からデータを受信し（Ｓ５５、Ｓ５６）、このとき、選択部１３３は、センサＢ１からの先頭のデータに含まれるセンサＢ１のセンサ識別情報と、センサＢ２からの先頭のデータに含まれるセンサＢ２のセンサ識別情報とを記憶しておく。また、センサＣ２は、自身のセンサ識別情報を含むデータを受信したので、中継モードに遷移する。
【００５５】
また、センサＣ３は、センサＢ２からデータを受信し（Ｓ５７）、このとき、選択部１３３は、先頭のデータに含まれるセンサＢ２のセンサ識別情報を記憶しておく。また、センサＣ３は、自身のセンサ識別情報を含むデータを受信したので、中継モードに遷移する。
【００５６】
また、センサＣ４は、センサＢ３からデータを受信し（Ｓ５８）、このとき、選択部１３３は、先頭のデータに含まれるセンサＢ３のセンサ識別情報を記憶しておく。また、センサＣ４は、自身のセンサ識別情報を含むデータを受信したので、中継モードに遷移する。
【００５７】
（４回目以降の測定時期における動作）
かかる動作は、３回目の動作と同様であり、その説明は割愛するが、このようにして、データが記録されるセンサの数が増加していくこととなる。
【００５８】
次に、図６のフローチャートを参照して、マッピング部２６の動作を説明する。
【００５９】
マッピング部２６は、同じタイミングで測定され記録された各データにつき、そのデータ内のセンサ識別情報に対応表で対応する位置情報を読み出し、その位置に、そのデータ内の測定値が示す受信強度をマッピングする（Ｄ１）。次に、同じタイミングで測定され記録された２以上のデータからなる各組につき、それらのデータ内のセンサ識別情報に対応表で対応する各位置情報を読み出し、各位置情報により中間位置を求め、それらのデータ内の各測定値が示す受信強度を補間し、補間された受信強度を中間位置にマッピングする（Ｄ２）。例えば、マッピングした受信強度を大きさにより分類し、分類毎に配色して、図７に示すような受信強度のマップが得られる。
【００６０】
また、マッピング部２６は、同じタイミングで測定され記録された各データにつき、そのデータ内のセンサ識別情報に対応表で対応する位置情報を読み出し、そのデータ内の測定値が示す受信強度を変換表により伝送速度に変換し、その位置にマッピングする（Ｄ３）。次に、同じタイミングで測定され記録された２以上のデータからなる各組につき、それらのデータ内のセンサ識別情報に対応表で対応する各位置情報を読み出し、各位置情報により中間位置を求め、それらのデータ内の測定値が示す各受信強度を補間し、補間された受信強度を変換表により伝送速度に変換し中間位置にマッピングする（Ｄ４）。例えば、マッピングした伝送速度を大きさにより分類し、分類毎に配色して、図７に示すような伝送速度のマップが得られる。
【００６１】
これらのマップにおいて、受信強度や伝送速度が小さすぎる場所や大きすぎる場所が所見されたときは、基地局Ａを移設や増減した上で上記動作を行う。こうして、所望の受信強度や伝送速度が得られるような基地局Ａの設置場所や設置数が求められることとなる。  なお、壁ａ１や家具ａ２などがなく、各センサ１が制御機２に対し赤外線を送受信可能ならば、通常モードだけで動作するようにしてもよい。
【００６２】
また、１つの場所だけで無線端末の使用が想定される場合は、センサ１としては、その場所だけに配置した上で、上記動作を行うようにしてもよい。
【００６３】
また、通信エリアは居住域に限らず、例えば、オフィスなどでも良い。
【００６４】
また、基地局の設置場所や設置数を求めるのでなく、単に受信強度などを求めるようにしてもよい。
【００６５】
また、マッピング部２６は、制御機２とは別に設けられたコンピュータにソフトウェアをインストールして構成してもよい。
【００６６】
以上説明したように、本実施の形態によれば、データの送信を赤外線により行うことで、データの送信を電波により行う必要がないので、その周波数の変更を不要にすることができる。
【００６７】
また、本実施の形態によれば、制御機２は、受信したデータに含まれるセンサ識別情報を赤外線で送信し、センサ１は、自身のセンサ識別情報を受信した場合（Ｓ３など）、それからは、受信したデータの中から、自身のセンサ識別情報を除くセンサ識別情報を含むデータを選択し、自身のデータと当該選択したデータとを（Ｓ１５のデータなどを）送信するので、制御機２に直接データを送信できないセンサ（センサＢ１など）のデータを、制御機２に直接データを送信できるセンサ（センサＡ１など）を介して制御機２に送信することができる。よって、制御機２を見通せる場所以外にもセンサ１を配置でき、よって、配置場所の制約を緩和することができる。
【００６８】
かかる構成に留めてもよいのだが、本実施の形態ではさらに、センサ１は、自身のセンサ識別情報を含むデータを受信した場合（Ｓ１９など）、そのときの先頭のデータに含まれるセンサ識別情報（センサＡ１のセンサ識別情報など）を記憶しておき、それからは、受信したデータの中から、自身のセンサ識別情報と記憶しておいたセンサ識別情報とを除くセンサ識別情報を含むデータを選択し、自身のデータを先頭として当該選択したデータを後続させて（Ｓ４１のデータなどを）送信するので、制御機２に直接データを送信できないセンサ（センサＣ１など）のデータを、制御機２に直接データを送信できるセンサ（センサＡ１など）を含む２つ以上のセンサ（センサＡ１とセンサＢ１など）を介して、制御機２にデータを送信することができる。よって、センサ１の配置場所の制約をさらに緩和することができる。
【００６９】
また、本実施の形態では、制御機２は、受信した各データにつき、そのデータ内のセンサ識別情報に対応表で対応する位置情報を読み出し、その位置に、そのデータ内の測定値が示す受信強度をマッピングするので、受信強度の分布を知ることができる。
【００７０】
また、本実施の形態では、制御機２は、受信した各データにつき、そのデータ内のセンサ識別情報に対応表で対応する位置情報を読み出し、そのデータ内の測定値が示す受信強度を変換表により伝送速度に変換し、その位置にマッピングするので、伝送速度の分布を知ることができる。
【図面の簡単な説明】
【００７１】
【図１】本受信強度測定システムとその利用形態を示す図である。
【図２】センサ１の構成図である。
【図３】制御機２の構成図である。
【図４】本受信強度測定システムのシーケンス図である。
【図５】赤外線の送受信可能および送信不可能な組み合わせを示す図である。
【図６】マッピング部のフローチャートである。
【図７】本受信強度測定システムで得られるマップを示す図である。
【符号の説明】
【００７２】
１  センサ
２  制御機
Ａ  基地局
１１  アンテナ
１２  増幅器
１３、１３１  測定部
１４、２４  光送信機
１５、２１  光受信機
２３、１３２  記録部
２２、１３３  選択部
２５、１３４  制御部
２６  マッピング部
【図１】
2007243653.tif 000003
【図２】
2007243653.tif 000004
【図３】
2007243653.tif 000005
【図４】
2007243653.tif 000006
【図５】
2007243653.tif 000007
【図６】
2007243653.tif 000008
【図７】
2007243653.tif 000009